(57)【要約】【課題】従来の仕掛け絵本は、通常の絵本に比べると、別部品をページへ接合するなど仕掛け構造が必要でそれを作りこむための製本工程にはかなりのコストアップが発生した。特に３次元的な見せ方をする仕掛けを作りこむためには低コストに実現する方法がなかった。また、仕掛け自体が、幼少者の利用に対し、壊れやすく耐久性に難のあるものも多かった。【解決手段】絵本１のページ２を全て光反射性材料で覆い、そのページを鏡のように使うことで、隣のページ３に印刷してある元絵と、その元絵を鏡のページ２で反射させた反射像と同時に見れば、視覚的に３次元空間の表現ができる。この構造であれば、仕掛けが簡単なので通常の製本工程で作りこむことができるため、比較的低コストで製造できるし、また利用者の扱い容易性や耐久性も従来の方式に比べると大幅に改善できる。【選択図】図１
2016074094.tif 000002
【特許請求の範囲】
【請求項１】
様々な仕掛けを絵本に施しておいて、単にページを見たり読んだりするだけでなく、読者が仕掛けを使って楽しむ仕掛け絵本において、ほぼ全面が光反射性材料で覆われているページ１と、前記ページ１に隣接していて、ページ１の光反射性材料に反射像が見えるように配置された元絵が印刷されているページ２と、読者は前記ページ１と前記ページ２の両ページを任意の角度に開き両ページを同時に見ることができる構造とを備えることを特徴とする仕掛け絵本。
【発明の詳細な説明】
【技術分野】
【０００１】
絵本の中には、単に各ページに印刷された絵や字を順に見ていくだけではなく、ページの中の絵が動く仕掛けがあるとか、立体的な飛び出しの仕掛けがあるなど、読者の興味を惹くような仕掛けが作り込まれた仕掛け絵本といわれる分野がある。本発明は、仕掛け絵本において、ページの用紙材料に鏡のような光反射性材料を用いることにより、鏡の中に視覚的な立体的空間を作り出すことで、絵本の表現力を広げる手段に関するものである。
【背景技術】
【０００２】
絵本の中には、通常の絵本とは違い、単に静止したページ表面の印刷物を見せるだけではなく仕掛け絵本といわれる分野がある。従来の仕掛け絵本の例としては、図２に示すような、台紙となるページ７と、それとは別の部品８を台紙ページ７の内部に重ねて構成してあるものがある。その部品８の一部で、ページの外へ出たタブ８aを左右へ動かすと、部品８の上に書かれた目玉の絵８ｂがその台紙ページ７の中で左右に動くという絵本９。あるいは、古典的ではあるが、図３に示すような、ページ１０とページ１１の間に折り込まれた立体１２が、このページを開くことでページ面から起き上がるような構造を持つ飛び出す絵本１３など、公知な手段ではあるが様々な応用や表現で仕掛け絵本として実用化されてきた。それ以外にも次に示すような先行知財文献もある。この文献では、４コマ動画を実現する方法を示している。グリッドシートをグリッドシート用の絵に重ねて置き、グリッドシートを絵の上でわずかに滑らせる操作で実現している。
・特許公開  １９９９-３２７４７９：本に付属するグリッドシートを図形の上で滑らせる操作をすることで、４枚の絵を瞬時に切り替え、４コマ動画として見せる。
【先行技術文献】
【特許文献】
【０００３】
【特許文献１】特許公開  １９９９-３２７４７９
【発明の概要】
【発明が解決しようとする課題】
【０００４】
従来の手段では、低コストな方法で、本という２次元平面のページへ立体感を味わえる表現を作り込むことが難しかった。ページに折り込まれた立体がとび出る、いわゆる飛び出す絵本では立体表現可能であるが、一般の製本工程のほかに、立体となる部品を後工程で追加する必要があり、それらの部品代や製作費用のコストアップが避けられない。更に、利用者側から考えると、飛び出す絵本では、通常の本に比べて丁寧に扱う必要があったり、飛び出す部品の耐久性に難があった。
【０００５】
一般に仕掛け絵本では、仕掛けが複雑になるほど高度な表現が可能にはなるものの、ページに特別な加工や追加の部品が必要で、コストアップが避けられなかった。更に、幼年者が扱うことを考えると、取り扱いの容易性や、使用時の耐久性を確保するための工夫が必須であるのに、通常の絵本のような水準で実現するのが難しかった。
【課題を解決するための手段】
【０００６】
請求項１の発明によれば、絵本の所定のページを開いた状態にて、片方のページは光を反射する鏡のような材料で覆っておき、もう一方のページには元絵を印刷しておく。これら隣接する両ページを直角９０度になるように開いて、その状態を保ったまま両ページを見ると、元絵が隣接ページへも反射像として映っている状態で見えるので、あたかも元絵から反射像へ連続的につながる立体的な空間を形作るように見える。
【発明の効果】
【０００７】
本発明は、以上説明したような形態で実施されることで、次に記載の効果を有する。まず第一に、比較的低コストで立体的な視覚効果が得られる表現手段を提供できる。
【０００８】
製本コスト面では、本の構造に難しさがないので、通常の絵本製作工程で製本可能であることと、後付けの別部品は不要であることから、加工費や部品代の増加を抑えられるので、製造時のコストメリットは大きい。
【０００９】
また、読者の利用時を考えると、通常の本とおなじような取り扱い容易性があり、ページの開閉回数に対する仕掛け材の耐久性が低下することもなく、幼年者に安心して扱わせることができるというメリットがある。
【図面の簡単な説明】
【００１０】
【図１】斜視図  本発明の第一の実施例
【図２】仕掛け絵本の別の従来技術例  斜視図
【図３】仕掛け絵本の従来技術例  斜視図
【図４】本発明の光反射材のページ構造の説明
【図５】本発明の第二の実施例
【図６】本発明の第三の実施例
【図７】本発明の第四の実施例
【発明を実施するための形態】
【００１１】
以下、請求項１の実施例を図１と図４を用いて説明する。図１は本発明を作りこんだ絵本の所定のページを開いた図である。絵本１は、一般の本と同じように表紙と裏表紙の間に、複数の印刷されたページがはさまれた構造をもつ。この絵本の所定のページを開くと、ページ２とページ３が現れる。ページ２の表面は、光反射シート２ｅで覆われている。ページ２の構造を、ページ２を拡大して示した図４で説明する。図４は、ページ２の構造を示すため、拡大してその断面を示した図である。この図では、絵本のページの強度を保つための厚紙の台紙２ａが中心部にあり、その裏側には、裏面ページの印刷面２ｂが接合してある。一方、台紙２ａの表側には、光反射シート２ｅが接合してある。光反射シート２ｅとは、ポリエチレンテレフタレートの透明フィルム２ｄとその裏面にあるアルミの蒸着膜２ｃとから成り、これらが一体となったものであり、平面に保てば当たった光を反射する平面鏡のように見えるシートである。ページ２の台紙２ａは厚紙でほぼ平面であるので、そこに光反射シート２ｅを貼りつけたページ２はあたかも平面鏡のように見える。図において隣接するページ３には元絵５が描かれている。ページ２とページ３との間の角度４を直角９０度となるように開き、その状態を保ったまま、ページ２の鏡に映った元絵５の反射像６とページ３の元絵５を同時に見る。ページ２の鏡面には元絵５などが映りこみ、視覚的に元絵５からページ２の奥へと連続的に続く立体空間を感じることができる。
【００１２】
以上説明したページ２とページ３の組み合わせと構造が、１組、または複数組あって、１冊の絵本全体を構成することになる。
【００１３】
本発明の第二の実施例を、図５に示す。光反射ページ２の隣接ページも光反射シートで覆ったページ１４とし、ページ１４の上に元絵５が印刷されているものである。この場合、ページ２とページ１４の２枚の鏡を特定の角度−例えば４５度や６０度−に開き、その間に元絵５が置かれた状態になると別の効果が追加される。２枚の鏡が、相互に反射を繰り返し、反射像６が幾つもページ２とページ１４との間にできて、新たな立体的視覚効果を出せる。
【００１４】
本発明第三の実施例を、図６に示す。図１と違うのは、光反射ページ２の上に、印刷された絵１５がある点である。この場合、この絵１５はページ２の中に反射像ができないので、ページ３の元絵とページ２に反射した像の境目の空間に浮かんだ絵として、立体空間を感じさせる重要な効果がある。
【００１５】
本発明第四の実施例を、図７に示す。図１と違うのは、光反射ページ２の光反射材がページ全面に見えるのでなく、ページの一部２ｆだけで見えるようにした点である。この場合、光反射材が見える部分２ｆの中でのみページ３の元絵が視覚的にページ２の奥へと続く状態となり立体空間を感じることができる。
【符号の説明】
【００１６】
１ 本発明の絵本
２ 光反射性のページ
２ａ 光反射性ページの台紙
２ｂ 光反射性ページの裏側印刷用紙
２ｃ 光反射シートの金属蒸着膜
２ｄ 光反射シートの透明フィルム
２ｅ 光反射シート
２ｆ 光反射材を見ることができる部分
３ 元絵の印刷してあるページ
４ ページの開き角度
５ 元絵
６ 元絵の反射像
７ 従来技術で仕掛けの施された動く絵のページ
８ 絵を動かすための後付け別部品
８ａ 絵を動かすために操作するタブ
８ｂ タブにより動かされる別部品上の目玉の絵
９ 従来技術の仕掛け絵本
１０ 飛び出す立体を挟むページの片方
１１ 飛び出す立体を挟むページの片方
１２ 飛び出す立体
１３ 従来技術の飛び出す絵本
１４ 元絵が印刷してある光反射性のページ
１５ 光反射性ページ上に印刷された絵
【図１】
2016074094.tif 000003
【図２】
2016074094.tif 000004
【図３】
2016074094.tif 000005
【図４】
2016074094.tif 000006
【図５】
2016074094.tif 000007
【図６】
2016074094.tif 000008
【図７】
2016074094.tif 000009